(57)【要約】【課題】  印刷依頼を送信した印刷指示端末に排紙トレイに印刷結果が残っている可能性があることについてメッセージを送信して、印刷結果の間違った持ち帰りを低減させる印刷装置を提供する。【解決手段】  印刷装置２０は、ＰＣ１０から印刷ジョブを受信する通信Ｉ／Ｆ部２１と、受信した印刷ジョブの印刷を実行する印刷実行部２５と、過去の所定時間内に実行された印刷ジョブ若しくは過去の所定数の印刷ジョブの履歴情報を記憶する印刷履歴情報２７を備え、ＰＣ１０−１から印刷ジョブを受信すると、ＰＣ１０−１に印刷履歴情報２７の内容を送信し、印刷履歴情報２７に含まれるＰＣ１０に対して印刷物の持ち帰りを促す通知を送信する。【選択図】  図２
2008087364.tif 000002
【特許請求の範囲】
【請求項１】
印刷ジョブを受け付ける受付手段と、
前記受付手段で受け付けた印刷ジョブの印刷を実行する印刷実行手段と、
前記印刷実行手段による前記印刷ジョブの実行以前の所定時間内に実行した印刷ジョブの履歴情報を記憶する記憶手段と、
前記印刷実行手段による前記印刷ジョブの実行により前記記憶手段に記憶した前記履歴情報を前記印刷ジョブの印刷指示端末に送信する送信手段と
を具備する印刷装置。
【請求項２】
印刷ジョブを受け付ける受付手段と、
前記受付手段で受け付けた印刷ジョブの印刷を実行する印刷実行手段と、
前記印刷実行手段による前記印刷ジョブの実行以前に実行した所定数の印刷ジョブの履歴情報を記憶する記憶手段と、
前記印刷実行手段による前記印刷ジョブの実行により前記記憶手段に記憶した前記履歴情報を前記印刷ジョブの印刷指示端末に送信する送信手段と
を具備する印刷装置。
【請求項３】
印刷ジョブを受け付ける受付手段と、
前記受付手段で受け付けた印刷ジョブの印刷を実行する印刷実行手段と、
前記印刷実行手段による前記印刷ジョブの実行以前の所定時間内に実行した印刷ジョブの履歴情報を記憶する記憶手段と、
前記印刷実行手段による前記印刷ジョブの実行により前記記憶手段に記憶した前記履歴情報に含まれる印刷ジョブの印刷指示端末に対して印刷物の持ち帰りを促す通知をそれぞれ行う通知手段と
を具備する印刷装置。
【請求項４】
印刷ジョブを受け付ける受付手段と、
前記受付手段で受け付けた印刷ジョブの印刷を実行する印刷実行手段と、
前記印刷実行手段による前記印刷ジョブの実行以前に実行した所定数の印刷ジョブの履歴情報を記憶する記憶手段と、
前記印刷実行手段による前記印刷ジョブの実行により前記記憶手段に記憶した前記履歴情報に含まれる印刷ジョブの印刷指示端末に対して印刷物の持ち帰りを促す通知をそれぞれ行う通知手段と
を具備する印刷装置。
【請求項５】
印刷ジョブを受け付ける受付手段と、
前記受付手段で受け付けた印刷ジョブの印刷を実行する印刷実行手段と、
前記印刷実行手段による前記印刷ジョブの実行以前の所定時間内に実行した印刷ジョブの履歴情報を記憶する記憶手段と、
前記印刷実行手段による前記印刷ジョブの実行により前記記憶手段に記憶した前記履歴情報を前記印刷ジョブの印刷指示端末に送信する送信手段と、
前記印刷実行手段による前記印刷ジョブの実行により前記記憶手段に記憶した前記履歴情報に含まれる印刷ジョブの印刷指示端末に対して印刷物の持ち帰りを促す通知をそれぞれ行う通知手段と
を具備する印刷装置。
【請求項６】
印刷ジョブを受け付ける受付手段と、
前記受付手段で受け付けた印刷ジョブの印刷を実行する印刷実行手段と、
前記印刷実行手段による前記印刷ジョブの実行以前に実行した所定数の印刷ジョブの履歴情報を記憶する記憶手段と、
前記印刷実行手段による前記印刷ジョブの実行により前記記憶手段に記憶した前記履歴情報を前記印刷ジョブの印刷指示端末に送信する送信手段と、
前記印刷実行手段による前記印刷ジョブの実行により前記記憶手段に記憶した前記履歴情報に含まれる印刷ジョブの印刷指示端末に対して印刷物の持ち帰りを促す通知をそれぞれ行う通知手段と
を具備する印刷装置。
【発明の詳細な説明】
【技術分野】
【０００１】
本発明は、印刷装置に関する。
【背景技術】
【０００２】
従来より、社内に張りめぐらされた通信網によって、１つの印刷装置を複数のパーソナルコンピュータ（印刷指示端末）で共有する技術が存在する。
【０００３】
１つの印刷装置が共有されると、複数の印刷ジョブが次々に送られ、印刷装置の排紙トレイに排紙される印刷結果が複数の印刷ジョブによる印刷結果で構成され、印刷結果の区分けが困難となっていた。
【０００４】
複数ユーザによって印刷ジョブが送信されると、排紙トレイに複数ユーザの印刷結果が排紙され、他人の印刷結果を間違って持って帰ってしまう問題も生じていた。
【０００５】
このような問題の原因の１つは、排紙トレイに排紙された印刷結果が持ち去られないで印刷結果が溜まってしまうということが想到できる。
【０００６】
よって、特許文献１では、送信された印刷ジョブの印刷が終了した時にクライアントに印刷終了通知を印刷装置から送信するように設定できる情報通知装置、情報通知方法、コンピュータ読み取り可能なプログラム、及び記憶媒体が提案されている。
【０００７】
また、他人の印刷結果を間違って持って帰ってしまう問題の原因の１つは、排紙トレイに存在する印刷結果の詳細が不明であるということも想到できる。
【０００８】
この原因に対して、特許文献２では、ネットワークＩ／Ｆ装置に印刷装置からの応答データを解析・選択する応答データ解析部および解析・選択された特定の応答データをリスト登録情報に応じてネットワーク上の各コンピュータに送信する送信プロトコル制御部を備えて、各コンピュータにおいて用紙無しや印刷状況等を確認することおよび印刷装置において印刷履歴を記録することを可能とするネットワーク印刷システム装置が提案されている。
【特許文献１】特開２００４−５２５９号公報
【特許文献２】特開平１０−２２２３２１号公報
【発明の開示】
【発明が解決しようとする課題】
【０００９】
しかし、特許文献１の技術では、クライアントに送信される情報は印刷が終了した時のみに通知されるだけなので、一度印刷結果を取りに行くことを忘れると次に取りに行くきっかけがなくなるという問題がある。
【００１０】
また、特許文献２の技術では、印刷依頼を送信する毎に印刷履歴が送信されず、自主的に印刷履歴を取得しなければならない。
【００１１】
そこで、この発明は、印刷依頼を送信した印刷指示端末に対して、印刷結果が排紙トレイに残っている可能性がある内容のメッセージを送信して、印刷結果の間違った持ち帰りを低減させる印刷装置を提供することを目的とする。
【課題を解決するための手段】
【００１２】
上記目的を達成する為に、請求項１の発明は、印刷装置が、印刷ジョブを受け付ける受付手段と、前記受付手段で受け付けた印刷ジョブの印刷を実行する印刷実行手段と、前記印刷実行手段による前記印刷ジョブの実行以前の所定時間内に実行した印刷ジョブ若しくは前記印刷ジョブの実行以前に実行した所定数の印刷ジョブの履歴情報を記憶する記憶手段と、前記印刷実行手段による前記印刷ジョブの実行により前記記憶手段に記憶した前記履歴情報を前記印刷ジョブの印刷指示端末に送信する送信手段とを具備するように構成される。
【００１３】
また、請求項２の発明は、印刷装置が、印刷ジョブを受け付ける受付手段と、前記受付手段で受け付けた印刷ジョブの印刷を実行する印刷実行手段と、前記印刷実行手段による前記印刷ジョブの実行以前の所定時間内に実行した印刷ジョブ若しくは前記印刷ジョブの実行以前に実行した所定数の印刷ジョブの履歴情報を記憶する記憶手段と、前記印刷実行手段による前記印刷ジョブの実行により前記記憶手段に記憶した前記履歴情報に含まれる印刷ジョブの印刷指示端末に対して印刷物の持ち帰りを促す通知をそれぞれ行う通知手段とを具備するように構成される。
【００１４】
また、請求項３の発明は、印刷装置が、印刷ジョブを受け付ける受付手段と、前記受付手段で受け付けた印刷ジョブの印刷を実行する印刷実行手段と、前記印刷実行手段による前記印刷ジョブの実行以前の所定時間内に実行した印刷ジョブ若しくは前記印刷ジョブの実行以前に実行した所定数の印刷ジョブの履歴情報を記憶する記憶手段と、前記印刷実行手段による前記印刷ジョブの実行により前記記憶手段に記憶した前記履歴情報を前記印刷ジョブの印刷指示端末に送信する送信手段と、前記印刷実行手段による前記印刷ジョブの実行により前記記憶手段に記憶した前記履歴情報に含まれる印刷ジョブの印刷指示端末に対して印刷物の持ち帰りを促す通知をそれぞれ行う通知手段とを具備するように構成される。
【００１５】
また、請求項４の発明は、印刷制御プログラムが、コンピュータを、印刷ジョブを受け付ける受付手段と、前記受付手段で受け付けた印刷ジョブの印刷を実行する印刷実行手段と、前記印刷実行手段による前記印刷ジョブの実行以前の所定時間内に実行した印刷ジョブ若しくは前記印刷ジョブの実行以前に実行した所定数の印刷ジョブの履歴情報を記憶する記憶手段と、前記印刷実行手段による前記印刷ジョブの実行により前記記憶手段に記憶した前記履歴情報を前記印刷ジョブの印刷指示端末に送信する送信手段として機能させるように構成される。
【００１６】
また、請求項５の発明は、印刷制御プログラムが、コンピュータを、印刷ジョブを受け付ける受付手段と、前記受付手段で受け付けた印刷ジョブの印刷を実行する印刷実行手段と、前記印刷実行手段による前記印刷ジョブの実行以前の所定時間内に実行した印刷ジョブ若しくは前記印刷ジョブの実行以前に実行した所定数の印刷ジョブの履歴情報を記憶する記憶手段と、前記印刷実行手段による前記印刷ジョブの実行により前記記憶手段に記憶した前記履歴情報に含まれる印刷ジョブの印刷指示端末に対して印刷物の持ち帰りを促す通知をそれぞれ行う通知手段として機能させるように構成される。
【００１７】
また、請求項６の発明は、印刷制御プログラムが、コンピュータを、印刷ジョブを受け付ける受付手段と、前記受付手段で受け付けた印刷ジョブの印刷を実行する印刷実行手段と、前記印刷実行手段による前記印刷ジョブの実行以前の所定時間内に実行した印刷ジョブ若しくは前記印刷ジョブの実行以前に実行した所定数の印刷ジョブの履歴情報を記憶する記憶手段と、前記印刷実行手段による前記印刷ジョブの実行により前記記憶手段に記憶した前記履歴情報を前記印刷ジョブの印刷指示端末に送信する送信手段と、前記印刷実行手段による前記印刷ジョブの実行により前記記憶手段に記憶した前記履歴情報に含まれる印刷ジョブの印刷指示端末に対して印刷物の持ち帰りを促す通知をそれぞれ行う通知手段として機能させるように構成される。
【発明の効果】
【００１８】
請求項１の発明によれば、印刷装置は、印刷ジョブを送信した印刷指示端末に印刷履歴情報を送信することができる。
【００１９】
請求項２の発明によれば、印刷装置は、印刷指示端末に印刷物の持ち帰りを促す通知を行うことができる。
【００２０】
請求項３の発明によれば、印刷装置は、印刷ジョブを送信した印刷指示端末に印刷履歴情報を送信して、印刷履歴情報に含まれる印刷指示端末に印刷物の持ち帰りを促す通知を行うことができる。
【００２１】
請求項４の発明によれば、印刷制御プログラムは、印刷ジョブを送信した印刷指示端末に印刷履歴情報を送信することができるようにコンピュータを制御することができる。
【００２２】
請求項５の発明によれば、印刷制御プログラムは、印刷指示端末に印刷物の持ち帰りを促す通知を行うようにコンピュータを制御することができる。
【００２３】
請求項６の発明によれば、印刷制御プログラムは、印刷ジョブを送信した印刷指示端末に印刷履歴情報を送信して印刷履歴情報に含まれる印刷指示端末に印刷物の持ち帰りを促す通知を行うようにコンピュータを制御することができるという効果を奏する。
【発明を実施するための最良の形態】
【００２４】
以下、本発明に係わる印刷装置の実施例について添付図面を参照して詳細に説明する。
【００２５】
図１は、印刷装置２０で構成される印刷システムの概略を示した構成図である。
【００２６】
この印刷システムは、印刷ジョブを送信するパーソナルコンピュータ１０、印刷ジョブを受信する印刷装置２０が通信回線３０で接続されている。
【００２７】
通信回線３０にはパーソナルコンピュータ（以下、ＰＣと記す）１０が複数接続され、それぞれＰＣ１０−１、ＰＣ１０−２、・・・ＰＣ１０−ｎと参照番号を記す。
【００２８】
ＰＣ１０は、印刷装置２０に送信する印刷ジョブを生成して送信する印刷指示端末としての役割を果たし、印刷装置２０から送信されたメッセージを受信してユーザに表示するディスプレイ等の表示装置を有する。
【００２９】
印刷装置２０は、ＰＣ１０から送信された印刷ジョブを受信して紙に印刷する機能を有し、印刷ジョブを送信して印刷結果を取り去っていない送信元のＰＣ１０や印刷ジョブを直前に送信したＰＣ１０に対してメッセージを送信する機能を有する。
【００３０】
また、印刷装置２０は、内部に印刷履歴情報２７を記憶するメモリ２３を有する。
【００３１】
このように構成される、印刷装置２０は、ＰＣ１０から印刷ジョブを受信すると、印刷ジョブを送信したＰＣ１０と印刷履歴情報２７に記憶されたＰＣ１０とにメッセージを送り、印刷装置２０の排紙トレイから印刷物が間違って持って行かれないようにする。
【００３２】
次に、印刷装置２０の構成について図２を参照して説明を行う。
【００３３】
図２は、印刷装置２０の構成の概略を示したブロック図である。
【００３４】
印刷装置２０は、通信回線３０に接続されており、通信インタフェース部（以下、通信Ｉ／Ｆ部と記す）２１、制御部２２、メモリ２３、操作／表示部２４、印刷実行部２５を備える。
【００３５】
通信Ｉ／Ｆ部２１は、通信回線３０と接続されており、ＰＣ１０からの印刷ジョブの受信や、通信回線３０に接続されるＰＣ１０に対するメッセージの送信などを行う。
【００３６】
制御部２２は、印刷装置２０の統括的な制御を行い、また、機能的な構成として、ＰＣ１０に送信するメッセージの生成を行うメッセージ生成部２６を備える。
【００３７】
メモリ２３は、受信した印刷ジョブを一時蓄積する処理や、印刷履歴情報２７の記憶や、印刷履歴情報２７に記憶される印刷履歴の設定の記憶などを行う。
【００３８】
印刷履歴情報２７には、過去に行われた印刷の履歴が記憶され、所定の時間内に完了した印刷ジョブの印刷履歴或いは所定の数の印刷ジョブの印刷履歴が記憶される。
【００３９】
印刷履歴情報２７に記憶される印刷履歴の設定とは、上述の所定の時間或いは所定の数のことである。
【００４０】
また、メモリ２３は、印刷装置２０を制御するプログラムが記憶される。
【００４１】
操作／表示部２４は、ユーザからの指示を受け付けユーザに情報を表示するユーザインタフェースとしての機能を有する。
【００４２】
印刷実行部２５では、印刷装置２０が受信した印刷ジョブを紙に印刷する処理が行われ、印刷実行部２５内に備えられる排紙トレイに、印刷された印刷結果が排紙される。
【００４３】
次に、印刷履歴情報２７について、所定の時間が設定された印刷履歴情報２７について図３を参照して説明する。
【００４４】
図３は、印刷ジョブが完了してからの時間が所定の時間内にある印刷ジョブの履歴が記録された印刷履歴情報２７の内容を示した模式図である。
【００４５】
メモリ２３に記憶される印刷履歴情報２７は、印刷ジョブが完了してからの時間が所定の時間内の印刷ジョブの印刷履歴、或いは、所定の数以下の印刷ジョブの印刷履歴を記憶することができる。
【００４６】
そして、図３に示すように、所定の時間内の印刷ジョブが記録された印刷履歴情報２７は、印刷完了時間、印刷実行ＰＣ、印刷枚数、ユーザ名等の情報が記録される。
【００４７】
この場合は所定の時間が２０分と設定されて、２０分前までに印刷が完了された印刷ジョブの印刷履歴が記憶されている。
【００４８】
所定の時間である「ｎ分以内」のｎの設定は、ユーザによって自由に行われる。
【００４９】
そして、印刷が完了してからの時間がユーザによって設定された所定の時間を過ぎた印刷ジョブに関しては、印刷履歴情報２７から削除される。
【００５０】
また、所定の時間の設定については、ユーザが印刷装置２０の操作／表示部２４より所望の時間を入力することで行われる。
【００５１】
次に、印刷履歴情報２７について、所定の数の印刷ジョブの印刷履歴が記憶されるように設定される印刷履歴情報２７について図４を参照して説明する。
【００５２】
図４は、所定の数の印刷ジョブの印刷履歴が記憶される印刷履歴情報２７の内容を示した模式図である。
【００５３】
図４に示すように、所定の数としてＮ＝１０が設定された状況で、過去に印刷が行われた印刷ジョブのうち新しい順に１０個の印刷ジョブが記録される。
【００５４】
この場合はＮ＝１０と設定されているので１０個の印刷ジョブの印刷履歴が記憶されるが、Ｎの設定はユーザによって自由に行われ、設定されたＮの個数の印刷完了した印刷ジョブの履歴が印刷履歴情報２７に記憶される。
【００５５】
記録される内容は、番号、印刷実行ＰＣ、ユーザ名、印刷枚数等の情報である。
【００５６】
また、ユーザに設定された所定の数の印刷ジョブが印刷履歴情報２７に記憶された場合には、新しく印刷ジョブが完了次第、印刷履歴情報２７に記憶される最も古い印刷ジョブの履歴が削除されて、印刷が完了した印刷ジョブの履歴が印刷履歴情報２７に記憶される。
【００５７】
また、所定の数の設定については、ユーザが印刷装置２０の操作／表示部２４より所望の数を入力することで行われる。
【００５８】
次に、印刷装置２０が印刷ジョブを受信したときに、該印刷ジョブを送信したＰＣ１０に対して印刷装置２０が送るメッセージについて図５を参照して説明を行う。
【００５９】
図５は、印刷装置２０が印刷ジョブを受信したときに該印刷ジョブを送信したＰＣ１０に対して印刷装置２０が送るメッセージであって、ＰＣ１０の表示部に表示されるメッセージ画面の画面構成図であり、図５（ａ）は所定の時間が設定された印刷履歴情報２７に関するメッセージが送られたメッセージ画面５００−１の画面構成図であり、図５（ｂ）は所定の数が設定された印刷履歴情報２７に関するメッセージが送られたメッセージ画面５００−２の画面構成図である。
【００６０】
印刷装置２０がＰＣ１０から印刷ジョブを受信すると、印刷装置２０より印刷ジョブを送信したＰＣ１０に対してメッセージが送信される。
【００６１】
印刷装置２０で記憶する印刷履歴の所定の数が設定された印刷履歴情報２７が記憶されたときには、ＰＣ１０に送信されるメッセージは図５（ａ）に示すようなメッセージ画面５００−１の内容のメッセージである。
【００６２】
メッセージ画面５００−１には、「送信先の印刷装置で既に以下の印刷が行われています。排紙トレイで印刷結果が混在する可能性があります。」との文面と、メモリ２３に記憶されて所定の時間が設定された印刷履歴情報２７が表示される。
【００６３】
印刷装置２０で記憶する印刷履歴の所定の時間が設定された印刷履歴情報２７が記憶されたときには、ＰＣ１０に送信されるメッセージは図５（ｂ）に示すようなメッセージ画面５００−２の内容のメッセージである。
【００６４】
メッセージ画面５００−２には、「送信先の印刷装置で既に以下の印刷が行われています。排紙トレイで印刷結果が混在する可能性があります。」との文面と、メモリ２３に記憶されて所定の数が設定された印刷履歴情報２７が表示される。
【００６５】
このように、新たに印刷ジョブを印刷装置２０に送信したＰＣ１０に対して、他人の印刷結果と混在するメッセージと印刷履歴情報２７を送信することによって、間違って他人の印刷結果を持って帰ってしまう可能性を低減することができる。
【００６６】
次に、印刷装置２０が印刷ジョブを受信したときに、印刷履歴情報２７に記憶されていて、印刷装置２０の排紙トレイに印刷結果が残されている可能性のある印刷ジョブを送信したＰＣ１０に対して送信されるメッセージについて図６を参照して説明を行う。
【００６７】
図６は、印刷履歴情報２７に記憶されている印刷履歴の印刷ジョブを送信したＰＣ１０に対して印刷装置２０から送られるメッセージであって、該ＰＣ１０の表示部に表示されるメッセージ画面６００の画面構成図である。
【００６８】
図６に示すように、メッセージ画面６００には、「７分前に完了した印刷の５枚の印刷結果は持っていきましたか？  ＹＥＳ、ＮＯの返事をして、ＮＯであれば持って行って下さい。」という文面と、それに対する返答であるＹＥＳボタン、ＮＯボタンが表示される。
【００６９】
このように、過去に印刷ジョブを送信したＰＣ１０に対して印刷結果の持ち帰りを促すメッセージを送信することで、新たに印刷ジョブを送信した人が印刷装置２０の排紙トレイから印刷結果を間違って持って帰ってしまう可能性を低減させることができる。
【００７０】
また、メッセージ画面６００よりＹＥＳボタン、ＮＯボタンが押下されることで、押下されたボタンに対応する信号が印刷装置２０に送信される。
【００７１】
ＹＥＳボタンが押下されると、ＰＣ１０から印刷装置２０に、メッセージ画面６００に表示した印刷履歴を示す信号とＹＥＳボタンが押下されたことを示す信号とが送信される。
【００７２】
信号を受信した印刷装置２０では、ＹＥＳボタンが押下された信号を受信した場合に、共に受信した印刷履歴を示す信号に基づいて、印刷履歴情報２７から該当する印刷履歴を削除する。
【００７３】
図６に示すメッセージ画面６００は、印刷装置２０からＰＣ１０に送信する時点で印刷履歴情報２７に記憶されている印刷履歴に対して、それぞれの印刷履歴の印刷ジョブを送信したＰＣ１０に対して送信される。
【００７４】
よって、印刷履歴情報２７に複数のＰＣ１０から送信された印刷ジョブの印刷履歴が記憶されていると、それぞれのＰＣ１０に対してそれぞれの印刷履歴に応じたメッセージが送信される。
【００７５】
それぞれの印刷履歴に応じたメッセージというのは、それぞれの印刷履歴情報２７に記憶される内容が反映されて印刷結果の持ち帰りを促す内容と印刷結果を持って帰ったか否かを尋ねる質問である。
【００７６】
次に、印刷履歴情報２７に所定の時間が設定された印刷装置２０で行われる処理フローについて図７を参照して説明を行う。
【００７７】
図７は、印刷履歴情報２７に所定の時間が設定された印刷装置２０で行われる処理フローについて示したフローチャートである。
【００７８】
まず、印刷装置２０の操作／表示部２４で印刷履歴情報２７に記憶される印刷ジョブについての設定が行われる（ステップ７０１）。
【００７９】
この設定は、印刷履歴情報２７に記憶させる印刷履歴についての所定の時間の設定である。
【００８０】
ユーザは、操作／表示部２４に表示される「過去ｎ分以内に印刷を完了した印刷ジョブの履歴を記憶します」という文章にｎを入力することで設定を行う。
【００８１】
そして、印刷装置２０は、印刷ジョブを受信する待ち状態となる（ステップ７０２）。
【００８２】
印刷履歴情報２７に、ステップ７０１で設定された内容から漏れる印刷履歴があると（印刷完了からｎ分が経過した印刷ジョブの印刷履歴）、印刷ジョブの受信を待っている間にもその印刷履歴は削除される（ステップ７０２）。
【００８３】
なお、ステップ７０２以外でも、印刷完了からステップ７０１で設定されたｎ分が経過した印刷ジョブについては、その印刷履歴は印刷履歴情報２７から削除される。
【００８４】
そして、ＰＣ１０より送信された印刷ジョブを受信すると（ステップ７０３）、印刷装置２０は受信した印刷ジョブの印刷を印刷実行部２５で開始し（ステップ７０４）、そして、印刷ジョブを送信したＰＣ１０に対して図５（ａ）を参照して説明したメッセージ画面５００−１を送信し（ステップ７０５）、印刷履歴情報２７に記憶されている印刷履歴の印刷ジョブを送信したＰＣ１０に対して図６を参照して説明したメッセージ画面６００を送信する（ステップ７０６）。
【００８５】
そして、印刷装置２０は、印刷結果の持ち帰りを促すメッセージ画面６００が送信されたＰＣ１０から印刷結果を持ち帰った内容の返信を受信すると（ステップ７０７でＹＥＳ）、受信した返信内容に該当する印刷結果が持ち帰られた印刷履歴が印刷履歴情報２７より削除される（ステップ７０８）。
【００８６】
そして、ステップ７０３で受信した印刷ジョブの印刷が完了すると（ステップ７０９）、完了した印刷ジョブの印刷履歴が印刷履歴情報２７に記憶される（ステップ７１０）。
【００８７】
そして、印刷装置２０は、印刷ジョブを受け付ける待機状態となる（ステップ７０２）。
【００８８】
次に、印刷履歴情報２７に所定の数が設定された印刷装置２０で行われる処理フローについて図８を参照して説明を行う。
【００８９】
図８は、印刷履歴情報２７に所定の数が設定された印刷装置２０で行われる処理フローについて示したフローチャートである。
【００９０】
まず、印刷装置２０の操作／表示部２４で印刷履歴情報２７に記憶される印刷ジョブについての設定が行われる（ステップ８０１）。
【００９１】
この設定は、印刷履歴情報２７に記憶させる印刷履歴の数の設定である。
【００９２】
ユーザは、操作／表示部２４に表示される「過去に印刷完了したＮ個の印刷ジョブの履歴を記憶します」という文章のＮに任意の自然数を入力することで設定を行う。
【００９３】
そして、印刷装置２０は、印刷ジョブを受信する待ち状態となる（ステップ８０２）。
【００９４】
そして、ＰＣ１０より送信された印刷ジョブを受信すると（ステップ８０３）、印刷装置２０は受信した印刷ジョブの印刷を印刷実行部２５で開始し（ステップ８０４）、そして、印刷ジョブを送信したＰＣ１０に対して図５（ｂ）を参照して説明したメッセージ画面５００−２を送信し（ステップ８０５）、印刷履歴情報２７に記憶されている印刷履歴の印刷ジョブを送信したＰＣ１０に対して図６を参照して説明したメッセージ画面６００を送信する（ステップ８０６）。
【００９５】
そして、印刷装置２０、印刷結果の持ち帰りを促すメッセージ画面６００が送信されたＰＣ１０から印刷結果を持ち帰った内容の返信を受信すると（ステップ８０７でＹＥＳ）、受信した返信内容に該当する印刷結果が持ち帰られた印刷履歴が印刷履歴情報２７より削除される（ステップ８０８）。
【００９６】
そして、ステップ８０３で受信した印刷ジョブの印刷が完了すると（ステップ８０９）、完了した印刷ジョブの印刷履歴が印刷履歴情報２７に記憶される。
【００９７】
その際、印刷履歴情報２７に記憶されている印刷履歴の数が、既にステップ８０１で設定された数と同じであれば、印刷が完了して最も時間が経過した印刷ジョブの印刷履歴が削除されて、ステップ８０９で完了した印刷ジョブの印刷履歴が印刷履歴情報２７に記憶されることになる（ステップ８１０）。
【００９８】
そして、印刷装置２０は、印刷ジョブを受け付ける待機状態になる（ステップ８０２）。
【００９９】
印刷装置２０でこのように処理されることで、印刷ジョブを送信した人には、メッセージ画面５００−１或いは５００−２により印刷装置２０の排紙トレイに残っている印刷結果を知ることができて印刷結果を間違って持って行ってしまう可能性が低減され、また、過去に印刷ジョブを送信して印刷結果を取りに行っていない人は、メッセージ画面６００にを受信して印刷結果の持ち出しが促される。
【０１００】
なお、印刷装置２０でこのような処理を実行するプログラムはメモリ２３に記憶される以外に、通信手段に提供されることはもちろん、ＣＤＲＯＭ等の記録媒体に格納して提供されることも可能である。
【０１０１】
なお、ステップ７０７或いは８０７で説明したＰＣ１０からＹＥＳボタンが押下された等の信号を受信して行われる処理（ステップ７０７でＹＥＳ、７０８或いはステップ８０７でＹＥＳ、８０８）は、印刷装置２０で印刷が行われている間だけではなくそれらの信号を受信した時であればいつの時点で行われても良い。
【０１０２】
なお、印刷履歴情報２７に印刷履歴が記憶されていない場合には、ステップ７０６或いはステップ８０６で過去に印刷ジョブを送信したＰＣ１０へのメッセージ画面６００は送られない。
【産業上の利用可能性】
【０１０３】
この発明は、印刷装置において利用可能である。
【０１０４】
この発明によれば、印刷装置は、印刷依頼を受け付けると、印刷依頼を送信した印刷指示端末に排紙トレイに印刷結果が残っている可能性があることについてメッセージを送信して、排紙トレイで印刷結果が間違って持ち去られることを低減させることができる。
【図面の簡単な説明】
【０１０５】
【図１】印刷装置２０で構成される印刷システムの概略を示した構成図。
【図２】印刷装置２０の構成の概略を示すブロック図。
【図３】所定の時間内の印刷履歴が記録される印刷履歴情報２７を示す模式図。
【図４】所定の数の印刷履歴が記録される印刷履歴情報２７を示す模式図。
【図５】印刷装置２０がＰＣ１０に送信するメッセージ画面５００−１、５００−２の画面構成図。
【図６】印刷装置２０がＰＣ１０に送信するメッセージ画面６００の画面構成図。
【図７】所定の時間が設定された印刷履歴情報２７を有する印刷装置２０の処理フローチャート。
【図８】所定の数が設定された印刷履歴情報２７を有する印刷装置２０の処理フローチャート。
【符号の説明】
【０１０６】
１０、１０−１、１０−２、・・・１０−ｎ    パーソナルコンピュータ
２０    印刷装置
２１    通信インタフェース
２２    制御部
２３    メモリ
２４    操作／表示部
２５    印刷実行部
２６    メッセージ生成部
２７    印刷履歴情報
３０    通信回線
５００−１    メッセージ画面
５００−２    メッセージ画面
６００    メッセージ画面
【図１】
2008087364.tif 000003
【図２】
2008087364.tif 000004
【図３】
2008087364.tif 000005
【図４】
2008087364.tif 000006
【図５】
2008087364.tif 000007
【図６】
2008087364.tif 000008
【図７】
2008087364.tif 000009
【図８】
2008087364.tif 000010